(57)【要約】【課題】刈り取り作業の効率を向上できる除草具を、提供すること。【解決手段】取っ手１と、多数の歯３からなる櫛状歯部２と、を備えた除草具１０であって、櫛状歯部２の各歯３は、１本の金属線からなっており、各歯３は、直線基部３１と、直線基部３１に続く湾曲部３２と、湾曲部３２に続く直線先端部３３と、からなっており、湾曲部３２は、側面視において、直線基部３１が水平状態にある場合に、上方に且つ斜め前方に向けて突出するように、湾曲しており、直線先端部３３は、側面視において、直線基部３１が水平状態にある場合に、湾曲部３２と直線基部３１の延長線との交差部又はその近傍から、下方に且つ斜め後方に向けて、延びている、ことを特徴としている。【選択図】図１
2017212943.tif 000002
【特許請求の範囲】
【請求項１】
取っ手と、多数の歯からなる櫛状歯部と、を備えた除草具であって、
前記櫛状歯部の各歯は、１本の金属線からなっており、
各歯は、直線基部と、前記直線基部に続く湾曲部と、前記湾曲部に続く直線先端部と、からなっており、
前記湾曲部は、側面視において、前記直線基部が水平状態にある場合に、上方に且つ斜め前方に向けて突出するように、湾曲しており、
前記直線先端部は、側面視において、前記直線基部が水平状態にある場合に、前記湾曲部と前記直線基部の延長線との交差部又はその近傍から、下方に且つ斜め後方に向けて、延びている、
ことを特徴とする除草具。
【請求項２】
前記直線基部が水平状態にある場合において、前記湾曲部の突出方向は、水平に対して第１角度で傾斜しており、前記直線先端部は、鉛直に対して第２角度で傾斜しており、該第２角度は、前記湾曲部の前記突出方向が鉛直に対して成す角度よりも、小さい角度である、
請求項１記載の除草具。
【請求項３】
前記第１角度が、４５〜８０度であり、
第２角度が、１０〜４５度である、
請求項２記載の除草具。
【請求項４】
前記第１角度が、６０度であり、
前記第２角度が、１５度である、
請求項３記載の除草具。
【請求項５】
全ての前記直線先端部の刃先が、正面視において、円弧線上に位置している、
請求項２〜４の何れか１つに記載の除草具。
【請求項６】
横方向中央の前記直線先端部の前記刃先が、最も下方に位置している、
請求項５記載の除草具。
【請求項７】
取っ手は、前記櫛状歯部に上方から押圧力を加えることができるように、設けられている、
請求項１〜６の何れか１つに記載の除草具。
【発明の詳細な説明】
【技術分野】
【０００１】
本発明は、雑草等を根から刈り取るための除草具に関する。
【背景技術】
【０００２】
櫛状歯部を有する除草具が、例えば特許文献１に示されている。
【先行技術文献】
【特許文献】
【０００３】
【特許文献１】特開２００６−３４５７５４号公報
【発明の概要】
【発明が解決しようとする課題】
【０００４】
しかるに、特許文献１の除草具では、刈り取られた草が刃の間に溜まりやすく、それ故、溜まった草を頻繁に取り除きながら刈り取り作業を続ける必要があり、刈り取り作業の効率が良くなかった。
【０００５】
本発明は、刈り取り作業の効率を向上できる除草具を、提供することを目的としている。
【課題を解決するための手段】
【０００６】
本発明は、取っ手と、多数の歯からなる櫛状歯部と、を備えた除草具であって、前記櫛状歯部の各歯は、１本の金属線からなっており、各歯は、直線基部と、前記直線基部に続く湾曲部と、前記湾曲部に続く直線先端部と、からなっており、前記湾曲部は、側面視において、前記直線基部が水平状態にある場合に、上方に且つ斜め前方に向けて突出するように、湾曲しており、前記直線先端部は、側面視において、前記直線基部が水平状態にある場合に、前記湾曲部と前記直線基部の延長線との交差部又はその近傍から、下方に且つ斜め後方に向けて、延びている、ことを特徴としている。
【発明の効果】
【０００７】
本発明によれば、櫛状歯部の湾曲部の内側が、刈り取られた草根等の溜まり部として機能するので、溜まり部が刈り取られた草根等で満杯になるまでは、刈り取り作業を続けることができる。すなわち、本発明によれば、従来のように歯部に詰まった草根等を頻繁に取り除く必要なく、刈り取り作業を続けることができる。したがって、刈り取り効率を向上できる。
【図面の簡単な説明】
【０００８】
【図１】本発明の一実施形態の除草具の斜視図である。
【図２】図１の除草具の側面図である。
【図３】図１の除草具の正面図である。
【図４】図１の除草具の側面図であり、寸法等を示すための図である。
【図５】本実施形態の除草具による刈り取り作業を示す側面図である。
【図６】本実施形態の除草具による刈り取り作業の途中状況を示す斜視図である。
【発明を実施するための形態】
【０００９】
図１は、本発明の一実施形態の除草具の斜視図である。図２は、図１の除草具の側面図である。図３は、図１の除草具の正面図である。この除草具１０は、取っ手１と、多数の歯３からなる櫛状歯部２と、を備えている。
【００１０】
櫛状歯部２の各歯３は、１本の金属線からなっている。金属線としては、例えば、ピアノ線のようなバネ機能を有する線材、鋼線、鉄線等を、使用できる。各歯３は、図２に示されるように、直線基部３１と、直線基部３１に続く湾曲部３２と、湾曲部３２に続く直線先端部３３と、からなっている。全ての歯３は、直線基部３１、湾曲部３２、及び直線先端部３３が、図２に示されるように、側面視で重なった状態で、且つ、図３に示されるように、横方向Ｗに等間隔に並んで、櫛状歯部２を構成している。全ての歯３は、各歯３の直線基部３１の後端部３１１が集合板４の下面４１に溶接固定されることによって、櫛状歯部２という一体的形態を保持している。本実施形態では、歯３の数は、１０本であるが、これに限るものではなく、例えば３〜３０本から任意に選択できる。
【００１１】
湾曲部３２は、直線基部３１が水平状態にある場合に、上方に且つ斜め前方に向けて、すなわち、方向Ａに、突出するように、湾曲している。方向Ａは、水平に対して第１角度αだけ傾斜している。なお、湾曲部３２は、直線基部３１からの立上り直線部３２１を、含んでいる。
【００１２】
直線先端部３３は、直線基部３１が水平状態にある場合に、湾曲部３２と直線基部３１の延長線Ｘとの交差部３０又はその近傍から、下方に且つ斜め後方に向けて、すなわち、方向Ｂに、延びている。方向Ｂは、鉛直方向Ｙに対して第２角度βだけ傾斜している。第２角度βは、湾曲部３２の突出方向Ａが鉛直方向Ｙに対して成す角度よりも、小さい角度に、設定されている。すなわち、β＜γである。
【００１３】
第１角度αは、４５〜８０度から任意に選択でき、第２角度βは、β＜γを前提として、１０〜４５度から選択できる。好ましくは、第１角度αは６０度であり、その場合の第２角度βは１５度である。
【００１４】
櫛状歯部２において、全ての直線先端部３３の刃先３３１は、図３に示されるように、正面視において、円弧線Ｃ上に位置している。更に、横方向Ｗの中央の直線先端部３３の刃先３３１が、最も下方に位置している。全ての刃先３３１は、図２に示されるように、側面視において、尖っており（拡大図参照）、更に、全ての刃先３３１は、図３に示されるように、正面視において、円弧線Ｃに沿うように、傾斜している（拡大図参照）。
【００１５】
取っ手１は、歯部２の上方に且つ横方向Ｗの中央に、位置しており、バー５を介して、集合板４ひいては歯部２に、連結している。バー５は、取っ手１の後端から、湾曲部５１を介して下方に延び、更に直線部５２を介して前方に延びて、集合板４の上面４２の横方向Ｗの中央に溶接されている。取っ手１は、歯部２の湾曲部３２の上方まで延びている。これにより、取っ手１は、歯部２に上方から押圧力を加えることができるようになっている。
【００１６】
本実施形態の除草具１０の好ましい具体的寸法等は、図４及び図３を参照して、次のとおりである。
・歯３の太さ：２〜２．５ｍｍ
・歯３の数：１０本
・直線基部３１の長さＬ１：３０ｍｍ
・湾曲部３２の立上り直線部３２１の長さＬ２：６ｍｍ
・湾曲部３２の直径Ｄ：１８ｍｍ
・湾曲部３２の湾曲中心点Ｒと、方向Ａと延長線Ｘとの交点Ｚと、の距離：３ｍｍ
・高さＨ１（直線基部３１が水平状態にある場合の湾曲部３２と直線先端部３３とからなる高さ）：３０ｍｍ
・隣接する歯３の間隔Ｐ：６ｍｍ
・第１角度α：６０度
・第２角度β：１５度
・バー５の湾曲部５１の高さＨ２：３０ｍｍ
・バー５の直線部５２の長さＬ２：５０ｍｍ
・取っ手１の長さＬ３：１０５ｍｍ
・取っ手１の水平に対する角度δ：２０度
【００１７】
前記構成の除草具１０は、図５に示されるように、直線先端部３３の刃先３３１を地面Ｇに対して２ｃｍ程度の深さまで突き刺し、その状態で左右に少し動かすことによって草の根をほぐし、後方Ｋへ移動させることによって草を根から刈り取るように、使用する。このとき、地面Ｇに対する直線基部３１の角度θは、２０〜２５度が好ましい。
【００１８】
前記のような刈り取り作業を繰り返すと、図６に示されるように、刈り取られた草や根（草根等）２００が湾曲部３２内に溜まっていく。すなわち、湾曲部３２の内側は、刈り取られた草根等２００の溜まり部１００として機能する。そして、除草具１０は、湾曲部３２が刈り取られた草根等２００で満杯になるまでは、直線先端部３３の刃先３３１を地面Ｇに突き刺して、刈り取り作業を続けることができる。すなわち、除草具１０は、従来のように歯部に詰まった草根等を頻繁に取り除く必要なく、刈り取り作業を続けることができる。したがって、前記構成の除草具１０によれば、刈り取り効率を向上できる。
【００１９】
しかも、湾曲部３２内に詰まった草根等２００は、下方向から、又は、横方向から、指を入れることによって、容易に、湾曲部３２内から取り除くことができる。したがって、この点からも、刈り取り作業の効率を向上できる。
【００２０】
更に、β＜γであるので、刃先３３１を地面Ｇに突き刺す際に、刃先３３１には湾曲部３２による反発力が作用する。その結果、刃先３３１に強い圧力が加わる。したがって、前記構成の除草具１０によれば、強い力を要すること無く、すなわち軽快に、したがって効率良く、刈り取り作業を行うことができる。
【００２１】
また、全ての直線先端部３３の刃先３３１が、図３に示されるように、円弧線Ｃ上に位置しているので、刃先３３１を地面Ｇに突き刺す際には、全ての刃先３３１が、一度に突き刺さるのではなく、時間差を有して突き刺さる。それ故、小さい力で全ての刃先３３１を地面Ｇに突き刺すことができる。したがって、前記構成の除草具１０によれば、軽快に、刈り取り作業を行うことができる。しかも、横方向Ｗの中央の直線先端部３３の刃先３３１が、最も下方に位置しているので、取っ手１による押圧力を中央の刃先３３１に有効に伝えることができる。したがって、前記構成の除草具１０によれば、この点からも、軽快に、刈り取り作業を行うことができる。
【００２２】
更に、取っ手１が、歯部２に上方から押圧力を加えることができるようになっているので、前記構成の除草具１０によれば、歯部２に力を加えやすく、したがって、この点からも、軽快に、刈り取り作業を行うことができる。
【００２３】
しかも、取っ手１がバー５を介して歯３の湾曲部３２の上方まで延びているので、取っ手１を下方に押せば、刃先３３１にはバー５の湾曲部５１による反発力が作用する。その結果、刃先３３１に強い圧力が加わる。したがって、前記構成の除草具１０によれば、この点からも、軽快に、刈り取り作業を行うことができ、雑草を確実に掘り出すことができる。
【００２４】
（変形例）
（１）取っ手１としては、図示の形態に限らず、任意の形態を採用してもよい。
（２）取っ手１の集合板４への接続態様は、１本のバー５を使用したものに限らず、任意の態様を採用できる。
（３）取っ手１は、歯部２の上方ではなく、後方に延びたバー又は柄を介して、後方に位置してもよい。
（４）最も下方に位置する刃先３３１は、横方向Ｗの中央の直線先端部３３の刃先３３１に限らず、横方向Ｗの両側又はその付近の直線先端部３３の刃先３３１でもよい。
【産業上の利用可能性】
【００２５】
本発明の除草具は、刈り取り作業の効率を向上できるので、産業上の利用価値は大である。
【符号の説明】
【００２６】
１  取っ手  ２  櫛状歯部  ３  歯  ３１  直線基部  ３２  湾曲部
３３  直線先端部  ３３１  刃先  １０  除草具
【図１】
2017212943.tif 000003
【図２】
2017212943.tif 000004
【図３】
2017212943.tif 000005
【図４】
2017212943.tif 000006
【図５】
2017212943.tif 000007
【図６】
2017212943.tif 000008